(57)【特許請求の範囲】
【請求項１】
ボックス本体の開口部外側に、該ボックス本体の外側に向け付勢させた受け金具を設け、また、前記ボックス本体の開口部を施蓋する扉の端面に該受け金具に係合するフック金具を設けるとともに扉の端面に該受け金具を外側から押圧してフック金具との係合を解除する係合解除手段を設けたことを特徴とするボックスの鎖錠構造。
【請求項２】
係合解除手段を、回動ハンドル式とした請求項１に記載のボックスの鎖錠構造。
【請求項３】
受け金具をボックス本体に取り付ける取付板部の上端に上端をもって枢着して、バネによりストッパ部の規制下に外側に付勢させて斜め下方を向くものとし、また、扉の端面に設けられているフック金具の先端を斜め内向とし、さらに、係合解除手段としてフック金具の端部側にピンに枢着したハンドル部の裏面に突設した押え片部よりなるものとした請求項１又は２に記載のボックスの鎖錠構造。
【発明の詳細な説明】
【０００１】
【発明の属する技術分野】
本発明は、ボックス本体を扉により施蓋する際に自動的に鎖錠を行うことができるボックスの鎖錠構造に関するものである。
【０００２】
【従来の技術】
従来のボックスの鎖錠構造は、図１６及び図１７に示すようにボックス本体１０１側に受け金具１０２を設けて、扉１０３に軸１０４により軸支したレバー部１０５に連携させたフック金具１０６を図示を略したバネによりボックス本体１０１側に付勢させて前記受け金具１０２に係合させたものが普通であった。
【０００３】
【発明が解決しようとする課題】
ところが、この従来のもにあっては、扉を閉じる際にレバー部１０５を操作せずに扉１０３を押すだけで自動的に鎖錠できるものであるが、その解錠には図１７に示すようにレバー部１０５を手指で軸１０４を支点に外側に引き起こしてフック金具１０６を受け金具１０２から解除するものである。そのため、レバー部１０５を軸支するための軸１０４を扉１０３の外側に設けなければならず、扉側壁の出っ張りが大きくなり美観を損なう問題あった。
【０００４】
【課題を解決するための手段】
前記の問題を解決するためになされた本発明のボックスの鎖錠構造は、ボックス本体の開口部外側に、該ボックス本体の外側に向け付勢させた受け金具を設け、また、前記ボックス本体の開口部を施蓋する扉端面に該受け金具に係合するフック金具を設けるとともに扉の端面に該受け金具を外側から押圧してフック金具との係合を解除する係合解除手段を設けたことを特徴とするものを請求項１に記載の発明とし、この発明において、係合解除手段を、回動ハンドル式としたものを請求項２に記載の発明とし、また、これらの発明において、受け金具をボックス本体に取り付ける取付板部の上端に上端をもって枢着して、バネによりストッパ部の規制下に外側に付勢させて斜め下方を向くものとし、また、扉の端面に設けられているフック金具の先端を斜め内向とし、さらに、係合解除手段としてフック金具の端部側にピンに枢着したハンドル部の裏面に突設した押え片部よりなるものとしたものを請求項３に記載の発明とする。
【０００５】
【発明の実施の形態】
次に、本発明の好ましい実施の形態を示す。
〔第１の実施形態〕
先ず、図１〜図１０に示す請求項１、２及び３に記載の発明に対応する第１の実施形態を説明する。１はボックス本体、２は該ボックス本体１の開口部１ａを施蓋する扉である。３はボックス本体１の開口部１ａの外側に形成した凹部すなわち開口部１ａに形成した水切り枠１ｂに設けた外側に向け付勢させた受け金具である。この受け金具３は図５に示すようにボックス本体１に取り付ける取付板部３１の上端に上端を枢着して、バネ３３によりストッパ部３４の規制下に外側に付勢させて斜め下方を向くものとしている。すなわち、取付板部３１の上端両側に形成した軸管部３１ａ、３１ａに支軸部３１ｂを軸支するととも支軸部３１ｂに受け金具３の上端に形成した軸管部３ａを軸支して枢着したうえ、該受け金具３をバネ３３により付勢させたうえ取付板部３１の軸管部３１ａと受け金具３の軸管部３ａに形成した切欠端面を当接してなるストッパ部３４に規制されて斜め外側下方を向く上端軸部としたものとしている。
【０００６】
４は前記受け金具３に係合するフック金具であり、前記扉２の端面に設けられている。該フック金具４は扉２を閉じる際に図１に示すようにその先端をもって前記受け金具３をバネ３３に抗して内側に押圧して、フック金具４の先端が受け金具３の下方に達したら受け金具３への押圧を解除して受け金具３がバネ３３により旧状に復帰して図２に示すようにフック金具４に係合されて鎖錠されるものである。５は受け金具３を外側から押圧してフック金具４との係合を解除する係合解除手段としての引き上げ回動ハンドル式のハンドル装置であり、該ハンドル装置５はフック金具４の端部側にピン５１ａに枢着したハンドル部５１の裏面すなわちの折り返し板部５２に押え片部５３を突設したものであり、ハンドル部５１をピン５１ａを支点に上方に回動させることにより押え片部５３が下方に回動して受け金具３をバネ３３に抗して内側に押圧して受け金具３のフック金具４への係合を解除して扉２を開けることができるものである。従って、解錠にはボックス本体１の外側に向け付勢させた受け金具３を外側から押圧してフック金具４との係合を解除する係合解除手段により行うので、係合解除手段を扉２の外面への突出を抑えることができるので美観に優れたものとなる。なお、上記したものはフック金具４の先端を斜め内向きとしているが孔を設けて、この孔縁で受け金具３を係合させるようにしてもよく、受け金具３は後述するように下端を軸部とするようにしてもよい。
【０００７】
さらに、この第1の実施形態のものは図６〜図１０に示すように、フック金具４のピン５ａと対向側にハンドル部ロック用の鎖錠片部６１と南京錠取付孔６２とを設けた鍵金具６を軸支してハンドル部５１の裏面に位置させて設けておくことができる。これにより、図７に示すように鍵金具６をフリーの状態すなわち鍵金具６に形成した鎖錠片部６１をハンドル部５１に設け鎖錠受け部５４に係合させず、また、南京錠取付孔６２をハンドル部５１に設けた上端面に形成したスリットから突出させない状態ではハンドル部５１を操作して受け金具３のフック金具４への係合を解除して扉２を開けることができるものである。
【０００８】
そして、鍵金具６の鍵穴部６４にハンドル部５１のキー挿通孔５１ｂを介してキー６５を差込んで該鍵金具６を反時計方向に回動させれば、鍵金具６の鎖錠片部６１がハンドル部５１の鎖錠受け部５４に係合されてハンドル部５１がロックされて扉を開けられて悪戯される虞のないものである。また、鍵金具６を時計方向に回動させれば、南京錠取付孔６２がハンドル部５１の上端面に形成したスリットから突出するので南京錠を取り付けてロックすることができる。この場合に南京錠を取り外すせばハンドル部５１の操作が行えるの常時南京錠取付孔６２を露出させておいてもよい。また、扉２が開いた状態であれば取付板部６６を手で回動すれば、南京錠取付孔６２が突出するものである。なお、図１０のフック金具４には手前側に向けてねじ４３，４３が取り付けられており、このねじ４３、４３によってフック金具４を扉２の側面に取り付けることによって、ハンドル装置５を取り付けている。このような実施形態では、上記したような方向でフレー、ロック、南京錠取付状態を選択可能としていいる。
【０００９】
〔第２の実施形態〕
続いて、図１１〜図１５に示す請求項１、４及び５に記載の発明に対応する第２の実施形態を説明する。１はボックス本体、２は該ボックス本体１の開口部１ａを施蓋する扉である。３はボックス本体１の開口部１ａの外側に形成した凹部すなわち開口部１ａに形成した水切り枠１ｂに設けた外側に向け付勢させた受け金具である。この受け金具３はボックス本体１に取り付ける取付板部３１の下端に下端を枢着され、バネ３３により外側に付勢させたうえ受け金具３の下端に形成したストッパ部３４に規制されて斜め上方を向く下端軸部としたものとして上端に形成した外向きの掛鉤部３２を後記するフック金具４が係合できるものとしている。
【００１０】
４は前記扉２の端面に設けた前記受け金具３に係合する押圧式のフック金具であり、該フック金具４は扉２の端面切欠部両側に嵌合する取付固定枠部７１、７１とその上端間を繋ぐ内庇部７２からなる門形の取付枠金７の上端に設けた軸部７ａにその両側を軸支して中間上端に前記受け金具３の掛鉤部３２に係合する係合部４ａを形成している。そして、該フック金具４の下方に前記受け金具の掛鉤部３２の先端面をボックス１の内側方向に押圧させる押圧面部４ｂが形成されており、また、該フック金具４の下方はフック金具４の両側に設けたストッパ片４１，４１を取付固定枠部７１の背面に当接して規制されながらバネ４２により常時外側に付勢されている。これにより、フック金具４はその押圧面部４ｂが扉２を閉じる際に前記受け金具３をバネ３３に抗して内側に押圧して、フック金具４の係合部４ａが掛鉤部３２に達したら受け金具３への押圧を解除して受け金具３がバネ３３により旧状に復帰したフック金具４に係合されて鎖錠されるものである。
【００１１】
この第２の実施形態では，受け金具３２を外側から押圧してフック金具４との係合を解除する係合解除手段は，前記フック金具４の両側背面部分である押圧面部４ｂをもって受け金具３２の両側又は一方に前方に向け張設した受板片３２ｄを押圧することにより、受け金具３２を外側から押圧してフック金具４との係合を解除するものとしている。従って、解錠にはボックス本体１の外側に向け付勢させた受け金具３を外側から押圧してフック金具４との係合を解除する係合解除手段により行うので、係合解除手段を扉外面への突出を抑えることができるので美観に優れたものとなる。なお、この実施形態では、受け金具３の下端を軸部としているが、第１の実施形態のように上端を軸部としたものでもよい。
【００１２】
【発明の効果】
以上説明したように、本発明のボックスの鎖錠構造は、扉を押すだけで自動的に鎖錠でき、その解錠にはボックス本体の外側に向け付勢させた受け金具を外側から押圧してフック金具との係合を解除する係合解除手段により行うので、係合解除手段を扉外面への突出を抑えることができるので美観に優れたものとなる。よって、本発明は従来のボックスの鎖錠構造の問題点を解決したもので、業界にもたらす益大なものである。
【図面の簡単な説明】
【図１】本発明の第１の実施形態を示す側面図である。
【図２】本発明の第１の実施形態を示す斜視図である。
【図３】本発明の第１の実施形態を態様を異にして示す斜視図である。
【図４】本発明の第１の実施形態を背面側から示す斜視図である。
【図５】本発明の第１の実施形態を分解して示す斜視図である。
【図６】本発明の第１の実施形態の他例を示す斜視図である。
【図７】本発明の第１の実施形態の他例を示す断面図である。
【図８】本発明の第１の実施形態の他例を態様を異にして示す断面図である。
【図９】本発明の第１の実施形態の他例を態様を異にして示す断面図である。
【図１０】本発明の第１の実施形態の他例を背面側から示す斜視図である。
【図１１】本発明の第２の実施形態を示す側面図である。
【図１２】本発明の第２の実施形態を態様を異にして示す側面図である。
【図１３】本発明の第２の実施形態を背面側から示す斜視図である。
【図１４】本発明の第２の実施形態を分解して示す斜視図である。
【図１５】本発明の第２の実施形態の受け金具とフック金具の関係を分解して示す斜視図である。
【図１６】従来例を示す側面図である。
【図１７】従来例を態様を異にして示す側面図である。
【符号の説明】
１  ボックス本体、１ａ  開口部、２  扉、３  受け金具、３１  取付板部、３２  掛鉤部、３２ｄ  受板片、３３  バネ  ３４  ストッパ部  ４  フック金具、４ａ  係合部、５１  ハンドル部、５１ａ  ピン、５３  押え片部、７  取付枠金、７ａ  軸部、７１  取付固定枠部、７２  内庇部
【図１】
0004165801.tif 000002
【図２】
0004165801.tif 000003
【図３】
0004165801.tif 000004
【図４】
0004165801.tif 000005
【図５】
0004165801.tif 000006
【図６】
0004165801.tif 000007
【図７】
0004165801.tif 000008
【図８】
0004165801.tif 000009
【図９】
0004165801.tif 000010
【図１０】
0004165801.tif 000011
【図１１】
0004165801.tif 000012
【図１２】
0004165801.tif 000013
【図１３】
0004165801.tif 000014
【図１４】
0004165801.tif 000015
【図１５】
0004165801.tif 000016
【図１６】
0004165801.tif 000017
【図１７】
0004165801.tif 000018